(57)【要約】【課題】  剃刀に対する利用者の不安や恐怖感を軽減でき、しかも、肌へのダメージが少ない体毛剃り方法を提供する。【解決手段】  施術者Ｐは、利用者Ｃの体毛を剃る部位に対してマッサージを行いつつ、体毛を剃る。剃刀Ｒの感触が、マッサージの心地よい感触の中に紛れて、ほとんど感じられなくなるので、剃刀Ｒに対する不安や恐怖感が軽減できる。また、マッサージにより血行が良くなって皮膚が柔らかくなるので、肌に対するダメージが少なくなる。【選択図】  図１−２
2005230241.tif 000002
【特許請求の範囲】
【請求項１】
体毛を剃る部位に対してマッサージを行いつつ、体毛を剃ることを特徴とする体毛剃り方法。
【請求項２】
前記マッサージがリンパ液の流れを良くするマッサージであることを特徴とする請求項１記載の体毛剃り方法。                                                                               
【発明の詳細な説明】
【技術分野】
【０００１】
本発明は、顔剃り専門店、エステティックサロンを含む美容サロン、理容室等において行われる、人の体毛を剃る体毛剃り方法に関し、特に、マッサージと体毛剃りとを同時に行う体毛剃り方法に関する。
【背景技術】
【０００２】
従来、理容室等で行われている顔剃りにおいては、片方の手で体毛を剃る部位の皮膚を広げて張った状態に保ち、もう片方の手に持った剃刀でその部位の体毛を剃っていた。
【０００３】
なお、先行技術文献調査は行っていないので、記載すべき先行技術文献情報は無い。
【発明の開示】
【発明が解決しようとする課題】
【０００４】
しかし、従来の体毛剃り方法では、剃刀が当たった感触をはっきり感じるため、体毛を剃られる者（以下、利用者と言う。）が女性である場合等には、不安や恐怖感を感じてしまうという問題があった。また、従来の体毛剃り方法は、男性の髭剃り用の方法であるため、女性の肌にはダメージを与え易いという問題もあった。
【０００５】
この発明は、上述した問題を解決するものであり、剃刀に対する利用者の不安や恐怖感を軽減でき、しかも、肌へのダメージが少ない体毛剃り方法を提供することを目的とする。
【課題を解決するための手段】
【０００６】
本発明の体毛剃り方法は、体毛を剃る部位に対してマッサージを行いつつ、体毛を剃ることを特徴とする。
【０００７】
これによれば、剃刀の感触が、マッサージの心地よい感触の中に紛れて、ほとんど感じられなくなるので、剃刀に対する不安や恐怖感を軽減できる。また、マッサージにより血行が良くなって皮膚が柔らかくなるので、肌に対するダメージが少なくなる。
【０００８】
ここで、マッサージがリンパ液の流れを良くするマッサージであることが好ましい。
【０００９】
これによれば、リンパ液の流れによる体内の不要物の排出が促されるので、肌の状態を良くすることができる。
【発明の効果】
【００１０】
本発明の体毛剃り方法によれば、剃刀に対する利用者の不安や恐怖感を軽減できるとともに、肌に対するダメージが少なくなる。
【発明を実施するための最良の形態】
【００１１】
以下、本発明の一実施形態の体毛剃り方法について説明する。
【００１２】
まず準備として、シェービング用ソープをブラシで泡立てて、利用者の体毛を剃る部位全部（本実施形態では顔及び首の前部）に塗布する。これは、利用者の肌に潤いを与え、剃刀のすべりを良くするためである。また、肌への負担軽減のため、アミノ酸を含有するシェービング用ソープを使用する。
【００１３】
そして、片方の手で体毛を剃る部位に対してマッサージを行いつつ、剃刀を持ったもう片方の手で、その部位の体毛を剃る。このとき、皮膚の表面に対する剃刀の角度を約１９．５°に保ちつつ、体毛を剃る。かかる角度が、最も肌を傷めにくいからである。このため、約１９．５°の角度を保つことが可能な剃刀、例えば、「フェザー（登録商標）プレーナ（登録商標または商標）」を使用する。なお、剃刀の角度は約１９．５°が望ましいが、４５°以内で変えてもよい。
【００１４】
また、本実施形態では、リンパ液の流れを良くする所謂リンパマッサージを行いつつ、体毛を剃る。リンパマッサージは、リンパ節付近をさするマッサージやリンパ節に向かってさするマッサージ等から構成される。顔及びその付近の主要なリンパ節としては、耳、耳の下、あご、首にあるリンパ節が挙げられる。
【００１５】
以下、図面に基づいて具体的に説明する。図１−１〜図１−４は、顎から頬に掛けて、親指でマッサージしつつ体毛を剃る動作の一例を示している。利用者Ｃは仰向けに寝ており、利用者Ｃの体毛を剃る者（以下、施術者と言う。）Ｐは利用者Ｃの頭側に立った状態である。施術者Ｐは、片方の手Ｈ１に剃刀Ｒを持つ。そして、もう片方の手Ｈ２の指を、図１−１に示すように、利用者Ｃの顎の下に当てる。そして、手Ｈ２の親指と他の４本の指との間を開くようにして、手Ｈ２の親指で、顎から頬に掛けての部位を、図１−２の矢印方向に撫で上げるようにマッサージし、同時に、その親指を追いかけるように剃刀Ｒを動かして体毛を剃る。
【００１６】
また、図２−１〜図２−４は、親指でマッサージしつつ体毛を剃った直後に、他の４本の指で弾く（払う）ようにマッサージを行う動作の一例を示している。施術者Ｐは、図２−１に示すように、手Ｈ２の指を利用者Ｃの顎に当てる。そして、手Ｈ２の親指以外の４本の指を顎に当てたまま、手Ｈ２の親指で、顎から頬に掛けての部位を、図２−１の矢印方向に撫で上げるようにマッサージし、同時に、その親指を追いかけるように剃刀Ｒを動かして体毛を剃る。そして剃刀Ｒを顔から離し、手Ｈ２の親指以外の４本の指を、利用者Ｃの皮膚を弾くように、図２−３の矢印方向に素早く動かすことにより、顎から頬に掛けての部位を更にマッサージする。
【００１７】
また、図３−１〜図３−４は、首から顎に掛けて、親指以外の４本の指でマッサージしつつ体毛を剃る動作の一例を示している。施術者Ｐは、図３−１に示すように、手Ｈ２の親指以外の４本の指を利用者Ｃの首に当てる。そして、図３−２及び図３−３に示すように、その４本の指で首から顎に掛けて撫で上げるようにマッサージしつつ、その４本の指を追いかけるように剃刀Ｒを動かして体毛を剃り、最後は、図３−４に示すように、皮膚を弾くようにマッサージする。
【００１８】
また、図４−１〜図４−６は、マッサージを繰り返した後に、マッサージしつつ首から頬に掛けて体毛を剃る動作の一例を示している。施術者Ｐは、図４−１に示すように、手Ｈ２の親指を利用者Ｃのこめかみ付近に当て、矢印方向に顎まで親指でマッサージする。次に、図４−２のように顎に指が掛かった状態から、図４−３の矢印に示すように顎をマッサージしつつ、利用者Ｃの耳付近まで手Ｈ２を戻す。そして、図４−４の矢印に示すように、５本の指で皮膚を弾くように耳付近から顎に掛けてマッサージし、その後、図４−５及び図４−６に示すように、手Ｈ２の親指以外の４本の指で、首から頬に掛けての部位を撫で上げるようにマッサージしつつ、その４本の指を追いかけるようにして、手Ｈ１に持った剃刀Ｒで体毛を剃る。
【００１９】
施術者Ｐは、上述したような動作以外にも、片方の手Ｈ２の指を適宜用いて、体毛を剃る部位に対して、撫でる（さする）マッサージや弾く（払う）マッサージを行いつつ、もう片方の手Ｈ１に持った剃刀Ｒでその部位の体毛を剃る種々の動作を行う。そして、それらの動作を連続的に行うことにより、体毛を剃る部位全部の体毛を剃る。体毛剃り完了後は、体毛を剃った部位を乳液で軽くマッサージし、温かいタオルで残ったソープや余剰の乳液等を拭き取る。
【００２０】
なお、例えば図１−１〜図１−４に示したようなマッサージしながら体毛を剃る１回の動作は、約３秒といった極短時間内に行われる。したがって、マッサージの余韻が充分残っている間に剃刀が通過することとなり、マッサージの心地よい感じの中に、剃刀の感触が紛れ込んでほとんど感じられなくなる。
【００２１】
以上のように、施術者Ｐが、体毛を剃る部位に対してマッサージを行いつつ、その部位の体毛を剃れば、利用者Ｃにとっては、マッサージの心地よい感触の中に、剃刀Ｒが当たった感触が紛れて、剃刀が触れている感じがほとんどしなくなる。このため、剃刀Ｒに対する不安や恐怖感が軽減され、利用者Ｃはリラックスして体毛を剃ってもらうことができる。
【００２２】
また、マッサージにより、体毛の起毛が促されるので、剃り残しを略無くすことができるとともに、血行が良くなって皮膚が柔らかくなるので、肌へのダメージが少なくなる。
【００２３】
さらに、リンパマッサージにより、リンパ液による体内の不要物の排出が促されるので、むくみが解消され、肌の状態が良くなる。
【００２４】
また、施術者Ｐが、片方の手Ｈ２でマッサージを行いつつ、もう片方の手Ｈ１に持った剃刀Ｒで体毛を剃るので、施術者Ｐは１人で体毛剃りを行えることとなり、低コストで体毛剃りを提供できることとなる。
【００２５】
なお、図１−１〜図４−６に示した動作は例であり、これらに限られるものではないことは勿論である。
【００２６】
また、顔や首以外の部位、例えば、背中、腕、脚といった部位の体毛剃りにも、本発明の体毛剃り方法は適用可能である。
【００２７】
すなわち、特許請求の範囲を逸脱しない範囲で、本発明は種々の実施形態を採り得る。
【図面の簡単な説明】
【００２８】
【図１−１】親指でマッサージしつつ体毛を剃る動作例の説明図である。
【図１−２】図１−１と同じ動作例の説明図であり、図１−１の続きである。
【図１−３】図１−１と同じ動作例の説明図であり、図１−２の続きである。
【図１−４】図１−１と同じ動作例の説明図であり、図１−３の続きである。
【図２−１】親指でマッサージしつつ体毛を剃った直後に、他の４本の指で弾くようにマッサージを行う動作例の説明図である。
【図２−２】図２−１と同じ動作例の説明図であり、図２−１の続きである。
【図２−３】図２−１と同じ動作例の説明図であり、図２−２の続きである。
【図２−４】図２−１と同じ動作例の説明図であり、図２−３の続きである。
【図３−１】親指以外の４本の指でマッサージしつつ体毛を剃る動作例の説明図である。
【図３−２】図３−１と同じ動作例の説明図であり、図３−１の続きである。
【図３−３】図３−１と同じ動作例の説明図であり、図３−２の続きである。
【図３−４】図３−１と同じ動作例の説明図であり、図３−３の続きである。
【図４−１】マッサージを繰り返した後に、マッサージしつつ体毛を剃る動作例の説明図である。
【図４−２】図４−１と同じ動作例の説明図であり、図４−１の続きである。
【図４−３】図４−１と同じ動作例の説明図であり、図４−２の続きである。
【図４−４】図４−１と同じ動作例の説明図であり、図４−３の続きである。
【図４−５】図４−１と同じ動作例の説明図であり、図４−４の続きである。
【図４−６】図４−１と同じ動作例の説明図であり、図４−５の続きである。
【符号の説明】
【００２９】
Ｐ…施術者
Ｃ…利用者
Ｒ…剃刀
Ｈ１、Ｈ２…手                                                                                 
【図１−１】
2005230241.tif 000003
【図１−２】
2005230241.tif 000004
【図１−３】
2005230241.tif 000005
【図１−４】
2005230241.tif 000006
【図２−１】
2005230241.tif 000007
【図２−２】
2005230241.tif 000008
【図２−３】
2005230241.tif 000009
【図２−４】
2005230241.tif 000010
【図３−１】
2005230241.tif 000011
【図３−２】
2005230241.tif 000012
【図３−３】
2005230241.tif 000013
【図３−４】
2005230241.tif 000014
【図４−１】
2005230241.tif 000015
【図４−２】
2005230241.tif 000016
【図４−３】
2005230241.tif 000017
【図４−４】
2005230241.tif 000018
【図４−５】
2005230241.tif 000019
【図４−６】
2005230241.tif 000020